(57)【要約】【課題】ポイント処理が可能な実店舗や実商業施設にてカードを用いずにポイント処理する。【解決手段】インターネット接続可能なユーザー側端末機器と、ポイント処理が可能な実店舗や実商業施設に設置されたインターネット接続可能な施設側端末機器と、ユーザー側端末機器からの要求により認証キーをユーザー側端末機器に発行し、ユーザーが実店舗や実商業施設にて購入した商品もしくは提供された役務に対するポイントによる決済意思表示時に施設側端末機器へユーザーが認証キーを入力すると認証キーの照合及び施設側端末機器へのポイント処理を行うWEBサーバーと、を備える。【選択図】図２
2018055639.tif 000002
【特許請求の範囲】
【請求項１】
インターネット接続可能でポイント会員登録されたユーザー側端末機器と、
ポイント処理が可能な実店舗や実商業施設に設置されたインターネット接続可能な施設側端末機器と、
前記ユーザー側端末機器からの要求により認証キーを前記ユーザー側端末機器に発行し、前記ユーザーが実店舗や実商業施設にて購入した商品もしくは提供された役務に対するポイントによる決済意思表示時に前記施設側端末機器へ前記ユーザーが前記認証キーを入力すると前記認証キーの照合及び前記施設側端末機器への前記ポイント処理を行うWEBサーバーと、
を備えたことを特徴とするカード非携帯型ポイント処理システム。
【請求項２】
前記ユーザー側端末機器は、
前記認証キーを要求する信号を含む操作信号を入力する端末側入力手段と、
前記認証キーを含む文字情報及び画像情報を表示する端末側表示手段と、
文字情報及び画像情報を記憶する端末側記憶手段と、
前記WEBサーバーを介して施設側端末機器と通信する端末側通信手段と、
を有し、
前記施設側端末機器は、
前記認証キーを含む操作信号を入力する施設側入力手段と、
前記認証キーを含む文字情報及び画像情報を表示する施設側表示手段と、
前記文字情報及び前記画像情報を表示する施設側記憶手段と、
前記WEBサーバーを介して前記ユーザー側端末機器と通信する施設側通信手段と、
を有し、
前記WEBサーバーは、
前記ユーザー側端末機器に関する個人情報及び前記施設側端末機器に関する施設情報を記憶するサーバー側記憶手段と、
前記ユーザー側端末機器及び前記施設側端末機器と通信するサーバー側通信手段と、
前記ユーザー側端末機器からの要求により認証キーを前記ユーザー側端末機器に発行する発行手段と、
前記ユーザーが実店舗や実商業施設にて購入した商品もしくは提供された役務に対するポイントによる決済意思表示時に前記施設側端末機器へ前記ユーザーが前記認証キーを入力すると前記認証キーを照合する照合手段と、
前記施設側端末機器への前記ポイント処理を行う処理手段と、
を備えたことを特徴とする請求項１記載のカード非携帯型ポイント処理システム。
【請求項３】
カード非携帯型ポイント処理システムのコンピュータに対して、
ポイント会員登録されたユーザー側端末機器がインターネットに接続するステップと、
ポイント処理可能な実店舗や実商業施設に設置された施設側端末機器がインターネットに接続するステップと、
WEBサーバーが、前記ユーザー側端末機器からの要求により認証キーを前記ユーザー側端末機器に発行し、前記ユーザーが前記実店舗や実商業施設にて購入した商品もしくは提供された役務に対するポイントによる決済意思表示時に前記施設側端末機器へ前記認証キーを入力すると前記認証キーの照合及び前記施設側端末機器への前記ポイント処理を行うステップと、
を実行させるためのプログラム。
【請求項４】
インターネット接続可能でポイント会員登録されたユーザー側端末機器によって前記ユーザーがWEBサーバーから認証キーを取得し、前記ユーザーがポイントによる決済可能な実店舗や実商業施設にて購入した商品もしくは提供された役務に対する前記ポイントによる決済意思表示時に前記施設のインターネット接続可能な施設側端末機器への前記ユーザーによる前記認証キーの入力後前記WEBサーバーが前記認証キーを照合すると前記ポイント処理を行うことを特徴とするカード非携帯型ポイント処理方法。
【請求項５】
前記ユーザー側端末機器による前記認証キーの要求時には、使用場所、有効期限、使用限度額、使用回数を使用用途に応じて設定することが可能であることを特徴とする請求項４記載のカード非携帯型ポイント処理方法。
【請求項６】
前記認証キーは、予め作成された所定の文字数からなる平叙文の中からランダムに選択されたものであることを特徴とする請求項４記載のカード非携帯型ポイント処理方法。
【請求項７】
前記施設にて前記認証キーが承認されない場合には前記施設側端末機器にその旨表示することを特徴とする請求項４記載のカード非携帯型ポイント処理方法。
【発明の詳細な説明】
【技術分野】
【０００１】
本発明は、カード非携帯型ポイント処理システム、カード非携帯型ポイント処理方法、及びプログラムに関する。
【背景技術】
【０００２】
既存のポイント処理システムであるポイントサービスを受けるには、携帯端末やICカードや磁気カード等のポイント交換機能を有するカードが必要である。
【０００３】
図１（ａ）は、正規のユーザーP1による、ポイント処理としてのカード決済についての説明図である。
ポイント処理可能な施設（例えば、コンビニエンスストア等の実店舗）である店舗Aにて正規のユーザーP1が買物を行い、店舗Aの専用端末PCaにポイント処理可能なカードCをカードリーダーRaに差し込むことにより、カードCのポイント残高から商品の対価分のポイントが減算され、決済が完了する。
【０００４】
しかしながら、ユーザーP1は、カードCを携帯していなければ、決済もポイントの発行もできない。
【０００５】
また、この種のポイント処理システムにはカードCの使用者が本人か否かの認証機能がないので、悪意のある他人P2が拾得したり盗んだりした他人の携帯端末やカードであっても本人になりすまされてポイントサービスが受けられてしまう。
【０００６】
図１（ｂ）は、悪意のある他人P2による、ポイント処理としてのカード決済についての説明図である。
ポイント処理可能な施設である店舗Bにて悪意のある他人P2が買物を行い、店舗Bの専用端末PCbに拾得した他人のカードCをカードリーダーRbに差し込むことにより、カードCのポイント残高から対価分のポイントが減算され、決済が完了してしまう。
【０００７】
そこで、カードを用いないでポイント処理をする提案がなされた（例えば、特許文献１参照。）。
特許文献１に記載の発明は、ポイントシステムに関する発明であり、具体的には、個人情報を収集してデータベースに登録してID・パスワードを通知し、ID・パスワードによって会員専用のホームページにアクセスする段階と、ホームページに表示される所定の商品等のアイテムのうち購入した所定の商品／サービスのアイテムを選択してその登録番号を登録する段階と、登録番号の登録によって所定の商品／サービスのアイテムに与えられたポイントの数を通知する段階と、通知されたポイントの数により所定の商品／サービスの引き換えを注文する段階と、を有するシステムである。
【先行技術文献】
【特許文献】
【０００８】
【特許文献１】特開２００２−３４２６３５号公報
【発明の概要】
【発明が解決しようとする課題】
【０００９】
上述した特許文献１に記載の発明は、商品販売元の運営サイトのホームページ上でユーザーが商品の登録番号（製造番号）を入力し、登録ボタンをクリックし、データベース装置で照会され、リストから引き換えたい特典を選択しクリックすると、引換え注文受付画面とその特典の送付先の入力を要求する画面とが表示され、必要事項を入力して送信すると、一連の動作を終了するようになっている。
【００１０】
しかしながら、特許文献１に記載の発明は、カードを用いることなく仮想店舗での商品の購入、決済をすることができるものの、ユーザーが実店舗で商品を直接手に取って見たり、触ったり、商品についてその場で直接店員に質問したり、実店舗でポイント発行するようにはなってはいない。また、ユーザーが配送前の商品に対するイメージと配送後の商品とが異なっていることがあり、その場合には返品するか我慢するしかなく、歯がゆさ、くやしさ不便さを感じることがある。
【００１１】
そこで、本発明の目的は、ポイント処理が可能な実店舗や実商業施設にてカードを用いずにポイント処理することにある。
【課題を解決するための手段】
【００１２】
上記課題を解決するため、本発明のカード非携帯型ポイント処理システムに係る発明は、インターネット接続可能なユーザー側端末機器と、ポイント処理が可能な実店舗や実商業施設に設置されたインターネット接続可能な施設側端末機器と、前記ユーザー側端末機器からの要求により認証キーを前記ユーザー側端末機器に発行し、前記ユーザーが実店舗や実商業施設にて購入した商品もしくは提供された役務に対するポイントによる決済意思表示時に前記施設側端末機器へ前記ユーザーが前記認証キーを入力すると前記認証キーの照合及び前記施設側端末機器への前記ポイント処理を行うWEBサーバーと、を備えたことを特徴とする。
【００１３】
本発明のプログラムに係る発明は、カード非携帯型ポイント処理システムのコンピュータに対して、ユーザー側端末機器がインターネットに接続するステップと、ポイント処理可能な実店舗や実商業施設に設置された施設側端末機器がインターネットに接続するステップと、WEBサーバーが、前記ユーザー側端末機器からの要求により認証キーを前記ユーザー側端末機器に発行し、前記ユーザーが前記実店舗や実商業施設にて購入した商品もしくは提供された役務に対するポイントによる決済意思表示時に前記施設側端末機器へ前記認証キーを入力すると前記認証キーの照合及び前記施設側端末機器への前記ポイント処理を行うステップと、を実行させるためのプログラムであることを特徴とする。
【００１４】
本発明のカード非携帯型ポイント処理方法に係る発明は、インターネット接続可能なユーザー側端末機器によって前記ユーザーがWEBサーバーから認証キーを取得し、前記ユーザーがポイントによる決済可能な実店舗や実商業施設にて購入した商品もしくは提供された役務に対する前記ポイントによる決済意思表示時に前記施設のインターネット接続可能な施設側端末機器への前記ユーザーによる前記認証キーの入力後前記WEBサーバーが前記認証キーを照合すると前記ポイント処理を行うことを特徴とする。
【発明の効果】
【００１５】
本発明によれば、ポイント処理が可能な実店舗や実商業施設にてカードを用いずにポイント処理をすることができる。
【図面の簡単な説明】
【００１６】
【図１】(ａ)は、正規のユーザーP1による、ポイント処理としてのカード決済についての説明図であり、（ｂ）は、悪意のある他人P2による、ポイント処理としてのカード決済についての説明図である。
【図２】カード非携帯型ポイント処理システムの概念を説明するための説明図である。
【図３】図２に示したカード非携帯型ポイント処理システムに用いられるユーザー側端末機器のハードウェア構成を示すブロック図の一例である。
【図４】図３に示したユーザー側端末機器のソフトウェア構成を示すブロック図の一例である。
【図５】図２に示したカード非携帯型ポイント処理システムに用いられる施設側端末機器のハードウェア構成を示すブロック図の一例である。
【図６】図２に示したカード非携帯型ポイント処理システムに用いられる施設側端末機器のソフトウェア構成を示すブロック図の一例である。
【図７】図２に示したカード非携帯型ポイント処理システムに用いられるWEBサーバーのソフトウェア構成を示すブロック図の一例である。
【図８】図２に示したカード非携帯型ポイント処理システムに用いられるWEBサーバーのソフトウェア構成を示すブロック図の一例である。
【図９】図２に示したカード非携帯型ポイント処理システムにおける認証キー発行処理の動作を説明するためのフローチャートの一例である。
【図１０】ポイントサービスの処理についての動作を説明するためのフローチャートの一例である。
【図１１】図２に示したカード非携帯型ポイント処理システムにおけるポイントの発行処理の動作を説明するためのフローチャートの一例である。
【図１２】ポイントの使用処理の動作を説明するためのフローチャートの一例である。
【図１３】（ａ）〜（ｈ）は、性質上ユニークである必要がある認証キーの構成要素を、表現したものである。
【図１４】認証キーの属性の一例である。
【図１５】施設側端末機器20に表示される店舗専用画面の一例である。
【図１６】ログイン画面の一例である。
【図１７】ユーザー側端末機器10に表示されるユーザー専用画面の一例である。
【図１８】ユーザー側端末機器10に表示される認証キー警告画面の一例である。
【図１９】ユーザー側端末機器10に表示される認証キー確認画面の一例である。
【図２０】施設側端末機器20に表示されるポイント処理開始画面の一例である。
【図２１】施設側端末機器20に表示されるポイント処理警告画面の一例である。
【図２２】施設側端末機器20に表示されるポイント処理確認画面（使用）の一例である。
【図２３】施設側端末機器20に表示されるポイント処理確認画面（発行）の一例である。
【図２４】ポイント処理完了画面（使用）の一例である。
【図２５】ポイント処理完了画面（発行）の他の一例である。
【図２６】ポイント発行入力画面の一例である。
【図２７】ポイント発行確認画面の一例である。
【図２８】ポイント発行警告画面の一例である。
【図２９】ポイント発行完了画面の一例である。
【図３０】ポイント使用入力画面の一例である。
【図３１】ポイント使用確認画面の一例である。
【図３２】ポイント使用警告画面の一例である。
【図３３】ポイント使用完了画面の一例である。
【図３４】他の商品販売サイトとポイントサービスとの連携動作についてのフローチャートの一例である。
【発明を実施するための形態】
【００１７】
本発明に係るカード非携帯型ポイント処理システムの実施の形態について図面を参照して説明する。
【００１８】
＜概念＞
図２は、カード非携帯型ポイント処理システムの概念を説明するための説明図である。
図中二つの矢印の流れのうち矢印P1,P2,P3,P4,P5は認証キー発行からポイント使用までの流れを示し、矢印P11,P12,P13,P14,P15は認証キー発行からポイント発行までの流れを示す。
【００１９】
カード非携帯型ポイント処理システムは、ユーザー側端末機器10としてのスマートフォン10Aもしくはタブレット10Bと、施設側端末機器20としてのノートPC20Aもしくはパソコン20Bと、WEBサーバー40Wと、データベースサーバー40Dとを備えたシステムである。
尚、施設内にはポイント会員の所有端末以外に施設内で、自由に使用できる携帯端末が設置されていてもよい。この携帯端末は、例えば施設内の一定の場所に鎖などで固定されているのが好ましい。
また、データベースは、外部のHDDの他、WEBサーバーに内蔵されたHDD（Hard Disk Drive）を複数のパーテーションに区切ることにより構成してもよい。
【００２０】
ここで、ユーザー側端末機器による認証キーの要求時には、都道府県コード、市区町村コード、施設コード、有効期限、使用回数、使用限度額、ポイントの発行、ポイントの使用、ポイントの使用用途の設定や残高照会が可能である。
尚、現金をポイントに変換するのは「預入またはチャージ」といい、ポイントを現金に交換するのを「交換」という。
【００２１】
さらに、本明細書において「施設」とは商品や役務を提供する場所を意味する。また、「商品」とは経済活動において生産・流通・交換される物財のことであり、「役務」とは他人のために行う労務やサービスのことである。また、「ポイント会員」とは、ユーザーのうちポイント会員登録したユーザーのことである。
【００２２】
[ポイント使用]
正規のユーザーであり、ポイント会員でもあるAさんが、例えば、自宅でインターネット接続可能なユーザー側端末としてのスマートフォン10Aの操作によりWEBサーバー40Wに認証キーの発行を要求すると（矢印P1）、Aさんのスマートフォン10Aに認証キーが表示される。認証キーは１回の使用で削除される（矢印P2）。Aさんはこの認証キーを記憶するかメールで送信し（矢印P3）、実店舗としての店舗Aにて買物をし、レジにて認証キーの使用の意思表示をし、インターネット接続可能であって、ポイントによる決済可能な店舗AのノートPC20Aに認証キーを直接入力する（矢印P4）。この操作によりノートPC20AはWEBサーバー40Wとの間で照合、確認し、データベースからAさんのポイントデータから商品（もしくは役務）の対価分のポイントを使用（減算）することにより決済が完了する（矢印P5）。
すなわち、このような構成でAさんはカードを持たず手ぶらで買い物することができるのである。
【００２３】
[ポイント発行]
正規のユーザーであるBさんが、例えば、外出先でポイントの残高が少ないか、もしくは無い場合にBさんが所有する、インターネット接続可能なタブレット10Bを用いてWEBサーバー40Wに認証キーの発行を要求すると（矢印P11）、Bさんのタブレット10Bに認証キーが表示される。認証キーは未使用の場合一定期間の経過で削除される（矢印P12）。Bさんは認証キーを記憶するかメールで送信し（矢印P13）、他の実店舗としての店舗Bにて商品を購入する場合、加盟店である店舗Bで商品を購入して購入金額に対してポイントを発行してもらう。Bさんは、認証キーを用いてポイント発行の意思表示をし、店舗Bのインターネット接続可能なパソコン20Bに認証キーを直接入力することにより（矢印P14）、WEBサーバー40Wは認証キーを照合、確認し、データベースサーバー40DからBさんのポイントデータにポイントを加算する（矢印P15）。
すなわち、このような構成で Bさんは、カードを持たずに商品購入時にポイントを貯めることが出来るのである。
【００２４】
＜前提条件＞
ユーザーは、インターネット接続可能な任意の端末からWEBサイトにアクセスし、ポイント会員となるための会員登録を行い、メールアドレスやSNS（Social Networking Service）アカウントを使用してログインできる必要がある。
ユーザーは、会員登録時に暗証番号を設定し、システムより発行される一意な会員番号を取得する必要がある。
商業施設としての実店舗は、任意の端末からWEBサイトにアクセスして店舗登録を行い、メールアドレスやSNSアカウントを使用してログインできる必要がある。
実店舗は、店舗登録時にシステムより発行される一意な店舗コードを取得する必要がある。
【００２５】
＜認証キー発行＞
ユーザーは、WEBサイトにログインしてポイントサービスを利用するための認証キーの発行を要求する。
ログインしたユーザーは、専用ページからポイントサービスの使用用途に合わせて属性を設定し認証キーの要求をする。
システムは、ユーザーからの依頼を受けて、ポイントの使用が選択された場合に、ポイントの残高を確認し、残高がない場合に警告画面を表示する。
システムは、ポイントの使用及び交換以外の場合、またはポイントの残高に問題がない場合、データベース（辞書テーブル）からランダムに認証キーを選択し、認証キーをデータベース（照合テーブル）に登録しユーザーに表示する（図１３（ａ）〜（ｈ）、図９、図１４参照）。
【００２６】
＜ポイントサービスの使用＞
ユーザーは、店舗で商品やサービスを購入する時にポイント会員である旨を従業員に告げてポイントの処理を依頼する。
店舗の従業員は、ユーザーからポイント処理の依頼を受け、任意のデバイス（ノートPC・タブレット・スマートフォン）からWEBサイトにログインし、ユーザーから受取った認証キーと会計金額とを入力し、ポイント処理手続き行う。このとき、認証キーはユーザーが入力してもよい。
システムは、入力された認証キーをデータベースと照合し、異常がある場合にポイント処理の警告画面を表示する。
システムは、入力された認証キーが正常である場合に、ポイントの計算処理を行いポイント処理の確認画面を表示する。
システムは、ユーザーからの確認要求でポイントの加減を行い、ポイント処理の完了画面を表示する。
システムは、入力された認証キーの属性から、その認証キーの用途を自動で判定し各画面に表示する内容を切り替える。
（図１０参照）。
【００２７】
＜ポイントの発行（緊急時）＞
ユーザーは、店舗で商品を購入したり役務の提供を受けたりする時にポイント会員である旨を従業員に告げてポイントの発行を依頼する。
店舗の従業員は、ユーザーからポイント発行の依頼を受け、任意のデバイス（ノートPC・タブレット・スマートフォン）からWEBサイトにログインし、会計金額を入力しポイント発行手続き行う。
システムは、入力された会計金額を元に発行するポイント数を算出し、発行ポイント数を確認出来る会員番号の入力画面を表示し、ユーザーは、ポイント会員の会員番号を入力する。
システムは、入力された会員番号がデータベースと一致するか否かを確認し、ポイントの発行が可能であるかを判定する。
システムはポイントが発行可能でない場合、再入力または終了処理を行えるための警告画面を表示する。
【００２８】
＜ポイントの使用（緊急時）＞
ユーザーは、実店舗で商品の購入や役務の提供を受ける時にポイント会員である旨を従業員に告げてポイントの使用を依頼する。
実店舗の従業員は、ユーザーからポイント使用の依頼を受け、任意のデバイス（ノートPC・タブレット・スマートフォン）からWEBサイトにログインし、会計金額を入力しポイントの使用手続きを行う。
ユーザーは、会計金額以内で使用するポイント数と会員番号と暗証番号とを入力しポイントの使用確認を行う。
システムは、入力された会員番号と暗証番号とがデータベースと一致するか否かを確認し、ポイント数とポイントの残高と使用状態とを確認し、ポイントが使用可能であるかを判定する。
システムは、ポイントが使用可能でない場合、再入力または終了処理を行えるための警告画面を表示する。
システムは、ポイントが使用可能である場合、ユーザーのポイントデータを減算しポイントの使用を完了する（図１２参照）。
【００２９】
＜構成＞
次にユーザー側端末機器及び施設側端末機器の構成について述べる。尚、同様の部材には共通の符号を用いた。
【００３０】
[ユーザー側端末機器のハードウェア構成]
図３は、図２に示したカード非携帯型ポイント処理システムに用いられるユーザー側端末機器のハードウェア構成を示すブロック図の一例である。
【００３１】
ユーザー側端末機器10は、主にカメラ1、ROM(Read Only Memory)2、CPU（Central Processing Unit）2-1、モニタ4-1a、タッチパネル5a、RAM（Random Access Memory）6-1、HDD7-1、及び通信インタフェース8を有する端末機器である（タブレット）。通信インタフェース8はネットワーク回線13に接続されている。
ユーザー側端末機器10は、上記構成の他、マイクロフォン11a、及びスピーカー12aを有する場合は、例えば通話機能を有する端末機器である（スマートフォン）。尚、GPS（Global Positioning System）、ジャイロセンサーや加速度センサー等は省略されている。尚、HDD7-1の代わりにSSD（Solid State Drive）を用いてもよいのは言うまでもない。
【００３２】
カメラ1aは、ユーザー側端末機器10に内蔵されたデジタルカメラであり、図示しない光学系、絞り・シャッター、CMOS(Complementary Metal Oxide Semiconductor:相補型金属酸化膜半導体)イメージセンサ、アナログフロントエンド、タイミングパルス発生回路、及び信号処理部を有する装置である。
駆動回路1bは、カメラ1aを駆動する回路であり、画像の拡大縮小、焦点調整、シャッター等の機能を有する。
【００３３】
ROM2-1は、ユーザー側端末機器10を統括制御するための制御プログラムを格納した記憶素子であり、例えばマスクROMが挙げられる。
RAM6-1は、ROM2-1に格納された制御プログラムを一時的に展開する記憶素子であり、例えばSRAM（Static Random Access Memory）もしくはDRAM(Dynamic Access Memory)が挙げられる。
HDD7-1は、インターネット接続によりダウンロードした画像やカメラ1aで撮影した画像のような比較的文字データより大きなデータを記憶する記憶装置である。
【００３４】
モニタ4-1aは、会員番号、パスワード、認証キー等の個人情報を含む文字や画像を表示する装置であり、例えば、スマートフォンの場合、例えば5型（対角線の長さが127.0ｍｍ程度）の液晶表示素子が挙げられ、タブレットの場合、例えば7型（対角線の長さが177.8ｍｍ程度）の液晶表示素子が挙げられる。
駆動回路4bは、モニタ4aを駆動する回路であり、セグメント出力回路、コモン出力回路、及び制御回路を有する。
【００３５】
タッチパネル5は、ユーザーの指やタッチペンの接触によるタップ、ピンチイン・アウト、指でひねって回転、スワイプ、パン（ドラッグ）、長押し等の操作を行う入力装置である。タッチパネル5の種類には抵抗膜方式、表面弾性波方式、電磁誘導方式、及び静電容量方式等があるがいずれの方式であってもよい。
【００３６】
通信インタフェース8は、ネットワーク回線13を介して無線及び有線により他の端末機器やWEBサーバー40とインターネット接続する装置である。
【００３７】
マイクロフォン11aは、ユーザーの音声をアナログ形式の電気信号に変換する装置であり、例えばコンデンサマイクロフォンが挙げられる。
駆動回路11bは、マイクロフォン11aからのアナログ形式の電気信号を増幅し、デジタル形式の信号に変換する回路である。
【００３８】
スピーカー12aは、ユーザーに音声による情報を伝達する装置であり、例えばダイナミックスピーカーが挙げられる。
駆動回路12bは、スピーカー12aを駆動する回路であり、デジタル形式の信号をアナログ形式の信号に変換し、増幅する回路である。
【００３９】
[ユーザー側端末機器のソフトウェア構成]
図４は、図３に示したユーザー側端末機器のソフトウェア構成を示すブロック図の一例である。
【００４０】
ユーザー側端末機器10は、主に撮影手段21、端末側表示手段としての表示手段22、端末側入力手段としての入力手段23、端末側記憶手段としての記憶手段24、端末側通信手段としての通信手段25、及び制御手段26を有する（タブレット）。
上記ユーザー側端末機器10が通話手段27を有する場合は、スマートフォンを構成する。
【００４１】
撮影手段21は、ユーザーが被写体を撮影するための手段であり、図３に示したカメラ1a及び駆動回路1bによって実現される。
表示手段22は、ユーザーが文字情報や画像情報を見るための手段であり、認証キーを含む文字情報及び画像情報を表示する機能を有し、図３に示したモニタ4a及び駆動回路4bによって実現される。
入力手段23は、ユーザーがユーザー側端末機器10を操作するための手段であり、認証キーを要求する信号を含む操作信号を入力する機能を有し、図３に示したタッチパネル5a及び駆動回路5bによって実現される。
記憶手段24は、制御プログラム、文字データ、画像データ、制御データ等を記憶するための手段であり、図３に示したROM2-1、RAM6-1、及びHDD7-1によって実現される。
通信手段25は、インターネット接続するための手段であり、図３に示した通信インタフェース8によって実現される。
通話手段27は、ユーザーが他のユーザーと電話するための手段であり、図３に示したマイクロフォン11a、駆動回路11b、スピーカー12a、及び駆動回路12bによって実現される。
制御手段26は、ユーザー側端末機器10を統括制御する手段であり、図３に示したCPU3-1、ROM2-1、及びRAM6-1によって実現される。
【００４２】
[施設側端末機器のハードウェア構成]
図５は、図２に示したカード非携帯型ポイント処理システムに用いられる施設側端末機器のハードウェア構成を示すブロック図の一例である。
【００４３】
施設側端末機器20は、主にROM2-2、CPU3-2、RAM6-2、モニタ4-2a、HDD7-2、キーボード28a、及び通信インタフェース8を有する。通信インタフェース8はネットワーク回線に接続されている。また、施設側端末機器20は、例えばオプションでマウス29aやプリンタ30aを有してもよい。
【００４４】
モニタ4-2aは、施設の従業員のキー入力確認及びユーザーの認証キー入力確認を視覚的に確認するための表示装置であり、例えば、13型〜20型（対角線の長さが330ｍｍ〜508ｍｍ程度）の液晶表示素子が挙げられる。駆動回路4-2bはモニタ4-2aを駆動する回路である。
キーボード28aは、施設の従業員の操作及びユーザーの認証キー入力に使用される入力装置である。駆動回路28bは、キーボード28aへのキー入力のキーコード変換を行う回路である。
【００４５】
マウス29aは、施設の従業員による入力操作補助に用いられる入力装置である。
駆動回路29bは、マウス29aのクリック、ホイール回転、移動、停止を検知しデジタル信号に変換する回路である。
プリンタ30aは、施設の従業員の業務上必要な情報を印刷する装置であり、インクジェットプリンタであっても、レーザープリンタであってもよい。
駆動回路30bは、プリンタ30aを駆動する回路である。
【００４６】
[施設側端末機器のソフトウェア構成]
図６は、図２に示したカード非携帯型ポイント処理システムに用いられる施設側端末機器のソフトウェア構成を示すブロック図の一例である。
【００４７】
施設側端末機器20は、表示手段22、入力手段23、記憶手段24、及び制御手段26を有する。施設側端末機器20は、オプションとして印刷手段31を有してもよい。
【００４８】
表示手段22は、認証キーを含む文字情報や画像情報を表示するための手段であり、図５に示したモニタ4-2a及び駆動回路4-2bによって実現される。
入力手段23は、施設の従業員が操作したり、ユーザーが認証キーを入力したりするための手段であり、図５に示したキーボード28a及び駆動回路28b（もしくはマウス29a及び駆動回路29b）によって実現される。
記憶手段24は、ユーザーの認証キー、購買履歴、商品データ、仕入れデータ、売上データ、注文データ、支払データ等のデータを記憶する手段であり、図５に示したROM2-2、RAM6-2、及びHDD7-2によって実現される。
制御手段26は、施設側端末機器20を統括制御する手段であり、図５に示したCPU3-2、ROM2-2、及びRAM6-2によって実現される。
通信手段25は、インターネット接続するための手段であり、図５に示した通信インタフェース8によって実現される。
印刷手段31は、施設の従業員が業務上必要な情報を印刷するための手段であり、図５に示したプリンタ30a及び駆動回路30bによって実現される。
【００４９】
[WEBサーバーのハードウェア構成]
図７は、図２に示したカード非携帯型ポイント処理システムに用いられるWEBサーバーのソフトウェア構成を示すブロック図の一例である。
【００５０】
WEBサーバー40は、CPU41、ROM42、RAM43、HDD34、及び通信インタフェース45を有する。WEBサーバー40はネットワーク回線13を介してデータベース用HDD46に接続されていてもよい。
CPU41は、WEBサーバー40を統括制御する素子である。ROM42はWEBサーバー40を統括制御する制御プログラムを格納する記憶素子であり、例えばマスクROMが挙げられる。RAM43は、ROM42から読み出された制御プログラムを一時的に展開する記憶素子であり、例えば、例えばSRAMもしくはDRAMが挙げられる。HDD44は、会員番号、ポイント会員の名称、パスワード、予め作成された認証キー群、会員番号、店舗ID、ポイント履歴、購買履歴、認証キー作成、使用履歴等を記録する。
【００５１】
[WEBサーバーのソフトウェア構成]
図８は、図２に示したカード非携帯型ポイント処理システムに用いられるWEBサーバーのソフトウェア構成を示すブロック図の一例である。
【００５２】
WEBサーバー40は、記憶手段51、発行手段52、照合手段54、処理手段55、及び通信手段56を有する。
【００５３】
記憶手段51は、制御プログラム、各施設の情報、ユーザーのポイント残高、ユーザーのポイント利用履歴、ユーザーの購入履歴等を記憶する手段であり、図７に示したROM42、RAM43、及びHDD44によって実現される。
発行手段52は、各ユーザーにポイントを発行する手段であり、照合手段54は、ユーザーの認証キーを照合する手段であり、処理手段55は、ポイント処理する手段であり、いずれも図７に示したCPU41、ROM42、RAM43、及びHDD44によって実現される。
制御手段53は、WEBサーバー40を統括制御する手段であり、図７に示したCPU41、ROM42、及びRAM43により実現される。
WEBサーバー側記憶手段としての記憶手段51は、ユーザー側端末機器としての端末機器10に関する個人情報及び施設側端末機器20に関する施設情報を記憶する機能を有する。
WEBサーバー側通信手段としての通信手段56は、ユーザー側端末機器10及び施設側端末機器20と通信する機能を有する。
発行手段52は、ユーザー側端末機器10からの要求により認証キーをユーザー側端末機器10に発行する。
照合手段54は、ユーザーが実店舗や実商業施設にて購入した商品もしくは提供された役務に対するポイントによる決済意思表示時に施設側端末機器20へユーザーが認証キーを入力すると認証キーを照合する機能を有する。
処理手段55は、施設側端末機器20へのポイント処理を行う機能を有する。
【００５４】
WEBサーバー40は、ユーザー側端末機器からの要求により認証キーをユーザー側端末機器に発行し、ユーザーが実店舗や実商業施設にて購入した商品もしくは提供された役務に対するポイントによる決済意思表示時に施設側端末機器へユーザーが認証キーを入力すると認証キーの照合及び施設側端末機器へのポイント処理を行う機能を有する。
ここで、「ポイント処理」とはポイントによる決済、ポイントの発行を意味する。
【００５５】
＜動作１＞
図９は、図２に示したカード非携帯型ポイント処理システムにおける認証キー発行処理の動作を説明するためのフローチャートの一例である。また、図１６は、ログイン画面の一例である。
【００５６】
図９においてポイント会員の端末とカード非携帯型ポイント処理システム（以下、システムと表記。）との関係が示されている。
ユーザーであるポイント会員は、ログイン要求(1)を行うと（ステップS1）、システムはログイン画面送信(1)をポイント会員に送信する（ステップS2）。
【００５７】
ポイント会員は、ユーザー側端末機器10に図１６に示すログイン画面を見る（ステップＳ3）。
図１６において、メールアドレス入力欄には項目ラベルが表示され、メールアドレスを入力するようになっている。パスワード入力欄は項目ラベルが表示されており、パスワードを入力するようになっている。
【００５８】
すなわち、ユーザー側端末機器10にメールアドレス、パスワード（但し、マスキング表示）、ログインボタンが表示される。
※この画面にはSNSアカウントでログインできるための機能を設置しても良い。
【００５９】
図９において、システムがユーザー認証(1)を行うと（ステップS4）、システムは正常か否かを判断する（ステップS5）。システムが異常であると判断した場合（ステップS5/N）、ステップ3に戻り、システムが正常であると判断した場合（ステップS5/Y）、ユーザー側端末機器10に図１７に示すようなユーザー専用画面を表示する（ステップS6）。
図１７は、ユーザー側端末機器10に表示されるユーザー専用画面の一例である。
【００６０】
図１７において、使用目的の欄は、ユーザーが認証キーの使用目的を選択するための欄である。使用場所の欄は、ユーザーが都道府県や市区町村を選択するための欄である。使用属性の欄は、ユーザーが認証キーの使用回数（１〜10）を選択し、ユーザーが使用回数を無制限にするチェックを選択し（使用目的が「発行」の時だけ操作可能になる。）、ユーザーが使用限度額を入力し、ユーザーが端数にする金額（10、100、1000）を選択し（使用目的が「使用」の時だけ操作可能になる。）、ユーザーが端数に使用のチェックを選択し（使用目的が「使用」の時だけ操作可能になる。）、ユーザーが有効期限の時間・分を選択するための欄である。
認証キー発行ボタンは、入力された属性を基に認証キーをデータベース（照合）に登録し、ユーザーに表示するボタンである。
【００６１】
図９において、ユーザー専用画面が表示されると、ポイント会員の端末は、認証キー要求(2)を行い（ステップS6）、システムは認証キー属性確認(3)を行い（ステップS61）、認証キーを発行する場合（ステップS62/発行）、ステップS10に進み、認証キーを使用する場合（ステップS62/使用）、システムがユーザーのポイントの残高確認(3)を行い（ステップS7）、正常か否かを判断する（ステップS8）。システムが正常でないと判断した場合、すなわち認証キーが承認されない場合（ステップS8/N）、その旨表示する。つまり、図１８に示す認証キー警告画面(3)をユーザー側端末機器10に表示する（ステップS9）。
図１８は、ユーザー側端末機器10に表示される認証キー警告画面の一例である。
【００６２】
図１８において、警告メッセージの欄には項目ラベルが表示され、認証キーの発行ができなかった理由が表示される。終了ボタンが押されるとユーザー専用画面に遷移する。
【００６３】
図９において、システムが正常であると判断した場合（ステップS8/Y）、乱数生成(4)を行い（ステップS10）、データベース（辞書）取得(4)を行う（ステップS11）。
ここで、乱数生成については公知のハードウェアもしくは公知のソフトウェアが用いられる。
【００６４】
[認証キーのデータベース]
ここで、認証キーのデータベースについて述べる。
(認証キーの問題点)
ポイントサービスを使用するための認証キーはその性質上ユニーク（一意）である必要があり、これを英数字（36進数）で表現すると６文字（総数で2176782336）は必要になり記憶するのが難しくなる問題がある。
認証キーを記憶するのが難しい場合、ユーザーは認証キーを忘れないために何らかの方法（紙媒体に記載する等）で記録することが予測される。
認証キーを何らかの媒体に記録した場合、それを手に入れた悪意のある第三者にポイントを使用されてしまう可能性が、僅かだが存在することになる。
【００６５】
(認証キーの改善点)
図１３（ａ）〜（ｇ）は、性質上ユニークである必要がある認証キーの構成要素を、表現したものである。
【００６６】
性質上ユニーク（一意）である必要がある認証キーを、図１３（ａ）〜（ｇ）に示すひらがな（107進数）６文字（総数で1500730351849）で表現する。
※外来語の発音に近い表記の拗音を追加すれば、６文字の認証キーは130進数（総数で4826809000000）で表現できる。
ひらがな６文字でも、ランダムに並べられた意味のないものでは、依然として覚え難い問題が残ってしまう。
これを解決するために生成された文字の形態素解析を行い、日本語を母国語とする人間が比較的理解しやすい組合せのもの（例えば、平叙文）だけを採用する。
例）あおいりんご（形容詞＋名詞）、なしをたべる（名詞＋助詞＋動詞）、でんきこんろ（名詞＋名詞）。
形態素解析された認証キーは、あらかじめ辞書データベースに登録しておき、認証キーの要求時に乱数生成器によりランダムに選択されたものを返却する。
辞書データベースに登録しておくことで、新語（造語）や流行語などにもデータベースを更新するだけで対応可能になる。
【００６７】
(改善の効果)
１：生成できる認証キーの総数の増加による認証キーの再利用回数の削減
認証キーが複雑（多数の文字数字の組み合わせ）であればポイントサービスの導入に支障が発生する業務が存在することが考えられ、認証キーの桁数を増やせば再利用回数は減るが、有限である以上過去に使用されたキーの再利用は必ず発生する。
但し、同じ６文字でも英数字の組合せ総数2176782336（130進数の場合4826809000000）とでは圧倒的に差があり、同一認証キーの再利用回数は激減する。
【００６８】
２：記憶の難しさによるセキュリティホール(脆弱性)の削減
英数字６文字で「AH0Z9F」という認証キーの場合、実際に記憶する文字は「えい・えいち・ぜろ・ぜっと・きゅう・えふ」の15文字で、この文字が何の意味も持たないため記憶するのが難しい。
しかし、ひらがな６文字の認証キーの場合、実際に記憶するのも６文字で、さらに形態素解析によって意味のある言葉が採用されるため記憶が容易で、紙媒体などに認証キーを記録することが削減される。
認証キーが脳内に記憶されている以上、悪意のある第三者による盗用は困難であり、媒体に記録することによるセキュリティホールを防ぐことが出来る。
【００６９】
（認証キーの属性）
図１４は、認証キーの属性の一例である。
【００７０】
図１４に示す属性としては、種類、使用回数、使用期限、使用限度、店舗コード、市区町村コード、及び都道府県コードが挙げられる。
【００７１】
図９において、データベース（辞書）取得(4)することにより、認証キーが発行されると（ステップS12）、ユーザー側端末機器10に図１９に示すような認証キー確認画面(4)が表示される（ステップS13）。
【００７２】
図１９は、ユーザー側端末機器10に表示される認証キー確認画面の一例である。
【００７３】
図１９に示す認証キー発行完了メッセージ欄に項目ラベルが表示され、認証キーの発行が完了した旨のメッセージ及び認証キーの属性が表示される。
連絡先に送信ボタンが押されると、発行された認証キーが登録されている連絡先に送信される（一般的には登録済みのメールアドレスに送信される。）。
戻るボタンが押されると、ログアウトし、トップ画面に遷移する。
【００７４】
図９において、認証キーが発行されると、データベース（照合）保存(4)が行われる（ステップS14）。
【００７５】
＜動作２＞
図１０は、ポイントサービスの処理についての動作を説明するためのフローチャートの一例である。
図１０において、店舗と、ポイント会員と、システムとの関係が示されている。
まず、ポイント会員がポイントサービス使用依頼(1)を行うと（ステップS20）、店舗内の施設側端末機器20は図１５に示す店舗専用画面を表示する（ステップS21）。
【００７６】
図１５は、施設側端末機器20に表示される店舗専用画面の一例である。
【００７７】
図１５に示すポイントの処理（認証キー）ボタンは、押されると、ポイント処理（認証キー）の開始画面に遷移する。
ポイントの発行（会員番号）ボタンは、押されるとポイント発行（会員番号）の会計金額入力画面に遷移する（認証キーが取得できない緊急時に使用される。）。
ポイントの使用（会員番号）ボタンは、押されるとポイント使用（会員番号）の会計金額入力画面に遷移する（認証キーが取得できない緊急時に使用される。）。
【００７８】
図１０において、システムはポイント処理開始画面送信(2)を行い（ステップS22）、施設側端末機器20は、図２０に示すようなポイント処理開始画面(2)を表示する（ステップS24）。
図２０は、施設側端末機器20に表示されるポイント処理開始画面の一例である。
【００７９】
図２０に示す会計金額入力欄には項目ラベルが表示され、会計金額が入力され、単位ラベルが表示される。
認証キー入力欄には、項目ラベルが表示され、認証キーが入力される。
ポイント処理開始ボタンは、押されるとポイント処理確認画面に遷移する。
【００８０】
図１０において、ポイント会員がユーザー側端末機器10を用いて施設側端末機器20に認証キー通知(2)を行うと（ステップS23）、施設側端末機器20は、システムのデータベース（照合）確認(3)を行う（ステップS25）。システムは、正常か否かを判断する（ステップS26）。
システムは、正常でないと判断した場合（ステップS26/N）、ポイント会員は施設側端末機器20に表示される図２１に示すようなポイント処理警告画面(3)を表示し、ステップS24に戻る（ステップS27）。
【００８１】
図２１は、施設側端末機器20に表示されるポイント処理警告画面の一例である。
【００８２】
警告メッセージ欄には項目ラベルが表示され、再入力ボタンは、押されるとポイント処理開始画面に遷移する。
終了ボタンは、押されると店舗専用画面に遷移する。
【００８３】
図１０において、システムは正常であると判断した場合（ステップS26/Y）、システムはポイント計算処理(4)を行う（ステップS28）。認証キー属性確認(4)を行い（ステップS281）、使用の場合（ステップS282/使用）、ポイント残高照会(4)を行い、正常か否か判断する（ステップS284）。正常な場合（ステップS284/Y）にはステップS29に進み、正常でない場合（ステップS284/N）、ステップS27に進む。
ポイントを発行する場合（ステップS282/発行）、ステップS29に進み、ポイントを使用する場合（ステップS282/使用）、ステップS283に進む。
ユーザー側端末機器10へのポイント処理確認画面送信(4)を行う（ステップS29）。
ポイント会員は、施設側端末機器20に表示される図２２もしくは図２３に示すポイント処理確認画面(4)を確認する（ステップS30）。
【００８４】
図２２は、施設側端末機器20に表示されるポイント処理確認画面（使用）の一例である。
【００８５】
図２２に示すニックネーム表示欄には項目ラベルが表示され、ニックネームが表示される。
会員番号表示欄には、項目ラベルが表示され、会員番号の一部が隠されて表示される。
会計金額表示欄には、項目ラベルが表示され、会見金額が表示され、単位レベルが表示される。
使用ポイント表示欄には、項目ラベルが表示され、算出された発行ポイント数が表示される。
支払残額表示欄には、項目ラベルが表示され、支払残額が表示され、単位ラベルが表示される。
メッセージ表示欄には、確認メッセージが表示される。
確認ボタンが押されると、ポイント処理が実行され、ポイント処理完了画面に遷移する。
取消ボタンが押されると、店舗専用画面に遷移する。
【００８６】
図２３は、施設側端末機器20に表示されるポイント処理確認画面（発行）の一例である。
【００８７】
図２３に示すニックネーム表示欄には項目ラベルが表示され、ニックネームが表示される。
会員番号表示欄には、項目ラベルが表示され、会員番号の一部が隠されて表示される。
会計金額表示欄には、項目ラベルが表示され、会計金額が表示され、単位ラベルが表示される。
発行ポイント表示欄には、項目ラベルが表示され、算出された発行ポイントが表示され、算出された発行ポイント数が表示される。
ポイント残高表示欄には、項目ラベルが表示され、現在のポイントの残高と発行後のポイント残高が表示される。
メッセージ表示欄には、確認メッセージが表示される。
確認ボタンは、押されると、ポイント処理が実行され、ポイント処理完了画面に遷移する。
取消ボタンは、押されると、店舗専用画面に遷移する。
【００８８】
図１０に示すステップS30にてポイント処理確認画面(4)が表示されると、システムにおいてポイントの加減(5)が行われ（ステップS31）、ポイント処理完了画面送信(5)が行われ（ステップS32）、施設側端末機器20において図２４もしくは図２５ポイント処理完了画面が表示される（ステップS33）。
【００８９】
図２４は、ポイント処理完了画面(使用)の一例である。
【００９０】
図２４において、ポイント使用完了メッセージ欄には項目ラベルが表示され、ポイントの使用が完了した旨のメッセージが表示される。
終了ボタンが押されると、店舗専用画面に遷移する。
【００９１】
図２５は、ポイント処理完了画面(発行）の他の一例である。
【００９２】
図２５において、発行完了メッセージ欄には項目ラベルが表示され、ポイントの発行が完了した旨のメッセージが表示される。
終了ボタンが押されると、店舗専用画面に遷移する。
【００９３】
＜動作３＞
図１１は、図２に示したカード非携帯型ポイント処理システムにおけるポイントの発行処理の動作を説明するためのフローチャートの一例である。
【００９４】
図１１において、店舗と、ポイント会員と、システムとの関係が示されている。
まず、ポイント会員がユーザー側端末機器10を用いてポイント発行依頼(1)を行うと（ステップS40）、店舗内の施設側端末機器20が図２０に示す画像を表示する（ステップS41）。
施設側端末機器20は、システムにポイント発行画面送信(2)を行うと、施設側端末機器20は、図２６に示すようなポイント発行画面(2)を表示する（ステップS43）。
【００９５】
図２６は、ポイント発行入力画面の一例である。
【００９６】
図２６に示す会計金額入力欄は、項目ラベルが表示され、会計金額が入力され、単位ラベルが表示される。
ポイント発行開始ボタンは、押されると、ポイント発行確認画面に遷移する。
【００９７】
図１１において、施設側端末機器20が図２６に示すようなポイント発行画面(2)をシステムに送ると、ポイント算出処理(3)を行い（ステップS44）、ポイント発行確認画面送信(3)を行い（ステップS45）、ポイント会員のユーザー側端末機器10に図２７に示すようなポイント発行確認画面(3)を表示させる（ステップS46）。
【００９８】
図２７は、ポイント発行確認画面の一例である。
【００９９】
図２７に示す会計金額には項目ラベルが表示され、会計金額が表示され、単位ラベルが表示される。
【０１００】
図１１に示すポイント発行確認画面(3)が表示されると、システムはデータベースと照合(4)を行い（ステップS47）、正常か否かを判断する（ステップS48）。
システムが正常でないと判断すると（ステップS48/N）、図２８のような警告画面をユーザー側端末機器10に表示させ、ステップS41、S46に戻る。
【０１０１】
図２８は、ポイント発行警告画面の一例である。
【０１０２】
図２８に示す警告メッセージ欄には項目ラベルが表示され、ポイントの発行ができなかった理由が表示される。
再入力ボタンが押されると、ポイント発行確認画面に遷移する。
終了ボタンが押されると、店舗専用画面に遷移する。
【０１０３】
システムが正常であると判断すると（ステップS48/Y）、施設側端末機器20に図２９のようなポイント発行完了画面(6)を表示させ（ステップS49）、ステップS41に戻ると共に、ポイントの加算(4)を行う（ステップS51）。
【０１０４】
図２９は、ポイント発行完了画面の一例である。
【０１０５】
図２９のポイント発行完了メッセージ欄には、項目ラベルが表示され、ポイントの発行が完了した旨のメッセージが表示される。
終了ボタンが押されると、店舗専用画面に遷移する。
【０１０６】
＜動作４＞
図１２は、ポイントの使用処理の動作を説明するためのフローチャートの一例である。
【０１０７】
図１２において、店舗と、ポイント会員と、システムとの関係が示されている。
まず、ポイント会員がユーザー側端末機器10でポイント使用依頼(1)を行うと（ステップS60）、施設側端末機器20は、図１５に示すような店舗専用画面を表示する（ステップS61）。
システムは、ポイント使用画面送信(2)を施設側端末機器20に送信する（ステップS62）。
施設側端末機器20は、図３０に示すようなポイント発行画面(2)を表示する（ステップS63）。
【０１０８】
図３０は、ポイント使用入力画面の一例である。
【０１０９】
会計金額入力欄には、項目ラベルが表示され、会計金額が入力され、単位ラベルが表示される。
ポイント資料開始ボタンは、押されると、ポイント使用確認画面に遷移する。
【０１１０】
図１２に示すシステムは、ポイント使用確認画面送信(3)を行い（ステップS64）、ユーザー側端末機器10は、図３１に示すようなポイント使用確認画面(3)を表示する（ステップS65）。
【０１１１】
図３１は、ポイント使用確認画面の一例である。
【０１１２】
図３１に示す会計金額欄には、項目ラベルが表示され、会計金額が表示され、単位ラベルが表示される。
ポイント使用確認欄は、押されると、ポイント使用完了画面に遷移する。
全額使用チェック欄は、チェックボックスを選択すると使用ポイント数が会計金額と同じ値に設定される。
会員番号入力欄には、項目ラベルが表示され、会員番号が入力される。
暗証番号入力欄には、項目ラベルが表示され、暗証番号が入力される。
ポイント使用確認ボタンが押されると、ポイント使用完了画面に遷移する。
【０１１３】
図１２に示すシステムにおいて、データベースと照合(4)を行い（ステップS66）、正常か否か判断する（ステップS67）。
正常でないと判断した場合（ステップS67/N）、ユーザー側端末機器10は図３２に示すような警告画面を表示すし（ステップS69）、ステップS61及びS65に戻る。
【０１１４】
図３２は、ポイント使用警告画面の一例である。
【０１１５】
図３２に示す警告メッセージ欄には項目ラベルが表示され、ポイントの使用ができなかった理由が表示される。
再入力ボタンは、押されると、ポイント使用確認画面に遷移する。
終了ボタンが押されると、店舗専用画面に遷移する。
【０１１６】
図１２において、正常であると判断した場合（ステップS67/Y）、施設側端末機器20は、図３３に示すようなポイント発行完了画面(6)を表示し（ステップS68）、ステップS61に戻ると共に（ステップS68）、ポイントの減算(4)を行う（ステップS70）。
【０１１７】
図３３は、ポイント使用完了画面の一例である。
【０１１８】
図３３に示すポイント使用完了メッセージ欄には、項目ラベルが表示され、ポイントの使用が完了した旨のメッセージが表示される。
終了ボタンは、押されると、店舗専用画面に遷移する。
【０１１９】
＜動作５＞
図３４は、他の商品販売サイトとポイントサービスとの連携動作についてのフローチャートの一例である。
ユーザーであるポイント会員が商品購入決済依頼(1)を行うと（ステップS80）、ウェブサイトは、決済ページを開き、認証キー入力(2)及び認証キー照合要求(3)をシステムに行う（ステップS81）。
システムは、データベース（照合）確認(3)を行い（ステップS82）、正常か否かを判断する（ステップS83）。
システムは、確認(3)の結果、正常であると判断した場合（ステップS83/Y）、ポイント計算処理(3)を行い（ステップS84）、認証キー属性確認(3)を行い（ステップS85）、認証キーの発行か使用かの判断を行う（ステップS86）。
システムが認証キーを発行すると判断した場合（ステップS86/Y）、ポイントの加減(5)を行い（ステップS89）、ポイント処理結果送信(5)をウェブサイトに行い（ステップS90）、ウェブサイトはポイント処理結果送信(5)を受信する（ステップS92）。
システムは、データベース（照合）確認(3)の結果が正常でないと判断した場合（ステップS83/N）及びポイント残高照会(3)の結果が正常でないと判断した場合（ステップS88/N）、ウェブサイトにエラー情報送信(4)を行う（ステップS91）。
【０１２０】
ここで、ポイントサービスとの連携について述べる。
ユーザーはシステムと連携するウェブサイトで商品を購入し決済ページを表示する。
システムと連携するウェブサイトは決済ページで、ユーザーに決済情報と認証キーを入力させる。
システムと連携するウェブサイトは、入力された認証キーの照合と残高照会（ポイント使用の場合）を本システムに対して要求する。
システムは送信された認証キー及びポイントの残高（ポイント使用の場合）をデータベースと照合し、異常がある場合に連携するウェブサイトにエラー情報を返却する。
システムは送信された認証キー及びポイントの残高（ポイント使用の場合）が正常である場合に、ポイントの計算処理を行い連携するウェブサイトにポイント処理の確結果を返却する。
※システムは送信された認証キーの属性から、その認証キーの用途を自動で判定し連携するウェブサイトに返却する内容を切り替える。
【０１２１】
＜プログラム＞
以上で説明した本発明に係るカード非携帯型ポイント処理システムは、コンピュータで処理を実行させるプログラムによって実現される。コンピュータとしては、例えばパーソナルコンピュータやワークステーション等の汎用的なものが挙げられるが、本発明はこれに限定されるものではない。よって、一例として、プログラムにより本発明の機能を実現する場合の説明を以下で行う。
【０１２２】
例えば、
カード非携帯型ポイント処理システムのコンピュータに対して、
ユーザー側端末機器がインターネットに接続するステップと、
ポイント処理可能な実店舗や実商業施設に設置された施設側端末機器がインターネットに接続するステップと、
WEBサーバーが、ユーザー側端末機器からの要求により認証キーをユーザー側端末機器に発行し、ユーザーが実店舗や実商業施設にて購入した商品もしくは提供された役務に対するポイントによる決済意思表示時に施設側端末機器へ認証キーを入力すると認証キーの照合及び施設側端末機器へのポイント処理を行うステップと、
を実行させるためのプログラムが挙げられる。
【０１２３】
このようなプログラムは、コンピュータに読み取り可能な記憶媒体に記憶されていてもよい。
【０１２４】
＜記憶媒体＞
ここで、記憶媒体としては、例えばCD-ROM、フレキシブルディスク（FD）、CD-R等のコンピュータで読み取り可能な記憶媒体、フラッシュメモリ、RAM、ROM、FeRAM等の半導体メモリやHDDが挙げられる。
【０１２５】
CD-ROMは、Compact Disc Read Only Memoryの略である。フレキシブルディスクは、Flexible Disk：FDを意味する。CD-Rは、CD Recordableの略である。FeRAMは、Ferroelectric RAMの略で、強誘電体メモリを意味する。
【０１２６】
＜作用効果＞
以上、本実施形態によれば、ユーザーにとってはカード非携帯型のポイントサービスであるため紛失して他人に使用されるリスクがなくなる。また地震や津波等に罹災したり、現金やカード類を持たずに避難したりした場合でも、避難先でポイントを使用して商品の購入が出来る。
店舗にとってはカード非携帯型のポイントサービスであるため、ポイントサービスを導入するための専用機器（ICカードリーダーライターなど）が不要になり、インターネットに接続可能なデバイス（ノートPC・タブレット・スマートフォン等）があればシステムの導入が可能になる。
このシステムで使用される認証キーはユーザーが記憶しやすいものであるため、何らかの媒体に記録される可能性が低く、媒体の紛失が原因でポイントが使用されるリスクがなくなる。
【０１２７】
さらに、本実施形態によれば、以下の効果が挙げられる。
カードや携帯端末を使用せずに認証を行い、ポイントの発行や使用が出来る点。
認証キーが覚えやすく他人に使用される可能性を軽減した点。
認証キーの属性によりあらかじめポイントの用途がわかる点。
インターネットに接続できる端末が存在しない災害発生等の緊急時には、代理の手段（会員番号と暗証番号）を用いてポイントサービスが受けられる点。
【０１２８】
＜その他＞
尚、上述した実施の形態は、本発明の好適な実施の形態の一例を示すものであり、本発明はそれに限定されることなく、その要旨を逸脱しない範囲内において、種々変形実施が可能である。
例えば、上述した実施の形態では本発明を実店舗に適用した場合について説明したが、本発明は、これに限定されるものではなく、テーマパーク、遊園地、ショッピングモール、博物館、美術館、映画館、コンサート会場、競技場、ゴルフ場、ゴルフ練習場、スポーツジム、ゲームセンター、ファストフード、レストラン、ホテル、旅館等の商品や役務を提供する商業施設に適用してもよい。
【符号の説明】
【０１２９】
１ａ    カメラ
１ｂ、４ｂ、５ｂ、１１ｂ、１２ｂ、２８ｂ、２９ｂ、３０ｂ    駆動回路
２−１、２−２、４２    ＲＯＭ
３−１、３−２、４１    ＣＰＵ
４ａ、４−１ａ、４−２ａ    モニタ
５ａ    タッチパネル
６−１、６−２、４３    ＲＡＭ
７−１、７−２、４４    ＨＤＤ
８、４５    通信インタフェース
１０    ユーザー側端末機器
１１ａ    マイクロフォン
１２ａ    スピーカー
１３    ネットワーク回線
２０    施設側端末機器
２２    表示手段
２３    入力手段
２４、５１    記憶手段
２５、５６    通信手段
２６、５３    制御手段
２７    通話手段
２８ａ    キーボード
２９ａ    マウス
３０ａ    プリンタ
３１    印刷手段
４０Ｄ    データベースサーバー
４０Ｗ    ＷＥＢサーバー
４６    データベース用ＨＤＤ
５２    発行手段
５４    照合手段
５５    処理手段
５７    外部記憶手段
【図１】
2018055639.tif 000003
【図２】
2018055639.tif 000004
【図３】
2018055639.tif 000005
【図４】
2018055639.tif 000006
【図５】
2018055639.tif 000007
【図６】
2018055639.tif 000008
【図７】
2018055639.tif 000009
【図８】
2018055639.tif 000010
【図９】
2018055639.tif 000011
【図１０】
2018055639.tif 000012
【図１１】
2018055639.tif 000013
【図１２】
2018055639.tif 000014
【図１３】
2018055639.tif 000015
【図１４】
2018055639.tif 000016
【図１５】
2018055639.tif 000017
【図１６】
2018055639.tif 000018
【図１７】
2018055639.tif 000019
【図１８】
2018055639.tif 000020
【図１９】
2018055639.tif 000021
【図２０】
2018055639.tif 000022
【図２１】
2018055639.tif 000023
【図２２】
2018055639.tif 000024
【図２３】
2018055639.tif 000025
【図２４】
2018055639.tif 000026
【図２５】
2018055639.tif 000027
【図２６】
2018055639.tif 000028
【図２７】
2018055639.tif 000029
【図２８】
2018055639.tif 000030
【図２９】
2018055639.tif 000031
【図３０】
2018055639.tif 000032
【図３１】
2018055639.tif 000033
【図３２】
2018055639.tif 000034
【図３３】
2018055639.tif 000035
【図３４】
2018055639.tif 000036
【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
インターネット接続可能でポイント会員登録されたユーザー側端末機器と、
ポイント処理が可能な実店舗や実商業施設に設置されたインターネット接続可能な施設側端末機器と、
ユニークに生成した所定数の文字の組み合わせに対して形態素解析を行い前記文字の組み合わせの中から平叙文を認証キーとして採用して予め登録しておき、前記ユーザー側端末機器からの要求により前記予め登録された認証キーの中からランダムに選択して、要求された認証キー種類がポイント使用である場合は１回だけ使用可能で、認証キー種類がポイント発行である場合はユーザーによって任意に設定された回数だけ使用可能な認証キーを前記ユーザー側端末機器に発行し、前記ユーザーが実店舗や実商業施設にて購入した商品もしくは提供された役務に対するポイントによる決済意思表示時に前記施設側端末機器へ前記発行された認証キーを入力するとその認証キーの照合及び前記施設側端末機器への前記ポイント処理を行うWEBサーバーと、
を備えたことを特徴とするカード非携帯型ポイント処理システム。
【請求項２】
前記ユーザー側端末機器は、
前記認証キーを要求する信号を含む操作信号を入力する端末側入力手段と、
前記認証キーを含む文字情報及び画像情報を表示する端末側表示手段と、
制御プログラム、制御データ、文字データ及び画像データを記憶する端末側記憶手段と、
前記WEBサーバーを介して施設側端末機器と通信する端末側通信手段と、
を有し、
前記施設側端末機器は、
前記認証キーを含む操作信号を入力する施設側入力手段と、
前記認証キーを含む文字情報及び画像情報を表示する施設側表示手段と、
前記文字情報及び前記画像情報を表示する施設側記憶手段と、
前記WEBサーバーを介して前記ユーザー側端末機器と通信する施設側通信手段と、
を有し、
前記WEBサーバーは、
前記ユーザー側端末機器に関する個人情報及び前記施設側端末機器に関する施設情報を記憶するサーバー側記憶手段と、
前記ユーザー側端末機器及び前記施設側端末機器と通信するサーバー側通信手段と、
ユニークに生成された所定数の文字の組み合わせに対して形態素解析が行われて前記文字の組み合わせの中から平叙文が認証キーとして予め登録されており、その登録されている認証キーの中からランダムに選択して、要求された認証キー種類がポイント使用である場合は１回だけ使用可能で、認証キー種類がポイント発行である場合はユーザーによって任意に設定された回数だけ使用可能な認証キーを前記ユーザー側端末機器からの要求により前記ユーザー側端末機器に発行する発行手段と、
前記ユーザーが実店舗や実商業施設にて購入した商品もしくは提供された役務に対するポイントによる決済意思表示時に前記施設側端末機器へ前記発行手段で発行された認証キーを入力するとその認証キーを照合する照合手段と、
前記施設側端末機器への前記ポイント処理を行う処理手段と、
を備えたことを特徴とする請求項１記載のカード非携帯型ポイント処理システム。
【請求項３】
カード非携帯型ポイント処理システムのコンピュータに対して、
ポイント会員登録されたユーザー側端末機器がインターネットに接続するステップと、
ポイント処理可能な実店舗や実商業施設に設置された施設側端末機器がインターネットに接続するステップと、
WEBサーバーが、ユニークに生成された所定数の文字の組み合わせに対して形態素解析を行い前記文字の組み合わせの中から平叙文を認証キーとして採用して予め登録しておき、前記ユーザー側端末機器からの要求により前記予め登録された認証キーの中からランダムに選択して、要求された認証キー種類がポイント使用である場合は１回だけ使用可能で、認証キー種類がポイント発行である場合はユーザーによって任意に設定された回数だけ使用可能な認証キーを前記ユーザー側端末機器に発行し、前記ユーザーが前記実店舗や実商業施設にて購入した商品もしくは提供された役務に対するポイントによる決済意思表示時に前記施設側端末機器へ前記発行された認証キーを入力するとその認証キーの照合及び前記施設側端末機器への前記ポイント処理を行うステップと、
を実行させるためのプログラム。
【請求項４】
WEBサーバーがユニークに生成した所定数の文字の組み合わせに対して形態素解析を行って前記文字の組み合わせの中から平叙文を認証キーとして採用して予め登録しておく工程と、
インターネット接続可能でポイント会員登録されたユーザー側端末機器が前記WEBサーバーから前記予め登録されている認証キーの中からランダムに選択して、要求された認証キー種類がポイント使用である場合は１回だけ使用可能で、認証キー種類がポイント発行である場合はユーザーによって任意に設定された回数だけ使用可能な認証キーを取得する工程と、
ユーザーがポイントによる決済可能な実店舗や実商業施設にて購入した商品もしくは提供された役務に対する前記ポイントによる決済意思表示時に前記施設のインターネット接続可能な施設側端末機器への前記取得された認証キーの入力を受けて前記WEBサーバーがその認証キーを照合して前記ポイント処理を行う工程と、
を備えたことを特徴とするカード非携帯型ポイント処理方法。
【請求項５】
前記ユーザー側端末機器による前記認証キーの要求時には、使用場所、有効期限、使用限度額を使用用途に応じて設定することが可能であることを特徴とする請求項４記載のカード非携帯型ポイント処理方法。
【請求項６】
前記施設にて前記照合された認証キーが承認されない場合には前記施設側端末機器にその旨表示することを特徴とする請求項４記載のカード非携帯型ポイント処理方法。
【手続補正２】
【補正対象書類名】明細書
【補正対象項目名】００１２
【補正方法】変更
【補正の内容】
【００１２】
上記課題を解決するため、本発明のカード非携帯型ポイント処理システムに係る発明は、インターネット接続可能なユーザー側端末機器と、ポイント処理が可能な実店舗や実商業施設に設置されたインターネット接続可能な施設側端末機器と、ユニークに生成した所定数の文字の組み合わせに対して形態素解析を行い前記文字の組み合わせの中から平叙文を認証キーとして採用して予め登録しておき、前記ユーザー側端末機器からの要求により前記予め登録された認証キーの中からランダムに選択して、要求された認証キー種類がポイント使用である場合は１回だけ使用可能で、認証キー種類がポイント発行である場合はユーザーによって任意に設定された回数だけ使用可能な認証キーを前記ユーザー側端末機器に発行し、前記ユーザーが実店舗や実商業施設にて購入した商品もしくは提供された役務に対するポイントによる決済意思表示時に前記施設側端末機器へ前記発行された認証キーを入力するとその認証キーの照合及び前記施設側端末機器への前記ポイント処理を行うWEBサーバーと、を備えたことを特徴とする。
【手続補正３】
【補正対象書類名】明細書
【補正対象項目名】００１３
【補正方法】変更
【補正の内容】
【００１３】
本発明のプログラムに係る発明は、カード非携帯型ポイント処理システムのコンピュータに対して、ユーザー側端末機器がインターネットに接続するステップと、ポイント処理可能な実店舗や実商業施設に設置された施設側端末機器がインターネットに接続するステップと、WEBサーバーが、ユニークに生成された所定数の文字の組み合わせに対して形態素解析を行い前記文字の組み合わせの中から平叙文を認証キーとして採用して予め登録しておき、前記ユーザー側端末機器からの要求により前記予め登録された認証キーの中からランダムに選択して、要求された認証キー種類がポイント使用である場合は１回だけ使用可能で、認証キー種類がポイント発行である場合はユーザーによって任意に設定された回数だけ使用可能な認証キーを前記ユーザー側端末機器に発行し、前記ユーザーが前記実店舗や実商業施設にて購入した商品もしくは提供された役務に対するポイントによる決済意思表示時に前記施設側端末機器へ前記発行された認証キーを入力するとその認証キーの照合及び前記施設側端末機器への前記ポイント処理を行うステップと、を実行させるためのプログラムであることを特徴とする。
【手続補正４】
【補正対象書類名】明細書
【補正対象項目名】００１４
【補正方法】変更
【補正の内容】
【００１４】
本発明のカード非携帯型ポイント処理方法に係る発明は、WEBサーバーがユニークに生成した所定数の文字の組み合わせに対して形態素解析を行って前記文字の組み合わせの中から平叙文を認証キーとして採用して予め登録しておく工程と、インターネット接続可能なユーザー側端末機器が前記WEBサーバーから前記予め登録されている認証キーの中からランダムに選択して、要求された認証キー種類がポイント使用である場合は１回だけ使用可能で、認証キー種類がポイント発行である場合はユーザーによって任意に設定された回数だけ使用可能な認証キーを取得する工程と、ユーザーがポイントによる決済可能な実店舗や実商業施設にて購入した商品もしくは提供された役務に対する前記ポイントによる決済意思表示時に前記施設のインターネット接続可能な施設側端末機器への前記取得された認証キーの入力を受けて前記WEBサーバーがその認証キーを照合して前記ポイント処理を行う工程と、を備えたことを特徴とする。
【手続補正５】
【補正対象書類名】明細書
【補正対象項目名】００５９
【補正方法】変更
【補正の内容】
【００５９】
図９において、システムがユーザー認証(1)を行うと（ステップS4）、システムは正常か否かを判断する（ステップS5）。システムが異常であると判断した場合（ステップS5/N）、ステップS3に戻り、システムが正常であると判断した場合（ステップS5/Y）、ユーザー側端末機器10に図１７に示すようなユーザー専用画面を表示する（ステップS6）。
図１７は、ユーザー側端末機器10に表示されるユーザー専用画面の一例である。
【手続補正６】
【補正対象書類名】明細書
【補正対象項目名】００９４
【補正方法】変更
【補正の内容】
【００９４】
図１１において、店舗と、ポイント会員と、システムとの関係が示されている。
まず、ポイント会員がユーザー側端末機器10を用いてポイント発行依頼(1)を行うと（ステップS40）、店舗内の施設側端末機器20が図１５に示す画像を表示する（ステップS41）。
施設側端末機器20は、システムにポイント発行画面送信(2)を行うと、施設側端末機器20は、図２６に示すようなポイント発行画面(2)を表示する（ステップS43）。
【手続補正７】
【補正対象書類名】明細書
【補正対象項目名】０１００
【補正方法】変更
【補正の内容】
【０１００】
図２７に示すポイント発行確認画面(3)が表示されると、システムはデータベースと照合(4)を行い（ステップS47）、正常か否かを判断する（ステップS48）。
システムが正常でないと判断すると（ステップS48/N）、図２８のような警告画面をユーザー側端末機器10に表示させ、ステップS41、S46に戻る。